(57)【特許請求の範囲】
【請求項１】
複数枚の原稿を示す複数ページの画像データを取得する取得部と、
前記複数ページの画像データおいて区切り位置となるページを検出する区切り位置検出部と、
前記複数ページの画像データを前記区切り位置検出部が検出したページに基づき分割する分割部と、
前記分割部により分割された分割後の各画像データに示される第１マーカー箇所を検出するマーカー検出部と、
前記分割後の各画像データを、当該各画像データに示される前記第１マーカー箇所に示されたテキストを送信先として送信する処理を行う処理部と、を備え、
前記処理部は、前記マーカー検出部により前記第１マーカー箇所が検出されたページを送信対象から除いて前記分割後の各画像データを送信する電子機器。
【請求項２】
複数枚の原稿を示す複数ページの画像データを取得する取得部と、
前記複数ページの画像データおいて区切り位置となるページを検出する区切り位置検出部と、
前記複数ページの画像データを前記区切り位置検出部が検出したページに基づき分割する分割部と、
前記分割部により分割された分割後の各画像データに示される第１マーカー箇所を検出するマーカー検出部と、
前記分割後の各画像データを、当該各画像データに示される前記第１マーカー箇所に示されたテキストを送信先として送信する処理を行う処理部と、を備え、
前記処理部は、前記第１マーカー箇所に示されたテキストが電子メールの宛先であるか、または本電子機器に内蔵された記憶部内の領域名であるかを判定し、
前記第１マーカー箇所に示されたテキストが電子メールの宛先である場合に、当該テキストを電子メールの宛先とした電子メールを送信する処理を前記画像データを送信する処理として行い、
前記第１マーカー箇所に示されたテキストが本電子機器に内蔵された記憶部内の領域を示す場合に、当該領域に前記画像データを記憶させる処理を前記画像データを送信する処理として行う電子機器。
【請求項３】
前記区切り位置検出部は、前記第１マーカー箇所に示されたテキストが、電子メールの宛先および本電子機器に内蔵された記憶部内の領域名のいずれでもないと前記処理部が判定した場合に、当該テキストが示されたページを区切り位置として検出する、請求項２に記載の電子機器。
【請求項４】
複数枚の原稿を示す複数ページの画像データを取得する取得部と、
前記複数ページの画像データおいて区切り位置となるページを検出する区切り位置検出部と、
前記複数ページの画像データを前記区切り位置検出部が検出したページに基づき分割する分割部と、
前記分割部により分割された分割後の各画像データに示される第１マーカー箇所を検出するマーカー検出部と、
前記分割後の各画像データを、当該各画像データに示される前記第１マーカー箇所に示されたテキストを送信先として送信する処理を行う処理部と、を備え、
前記マーカー検出部は、前記第１マーカー箇所とは異なる態様で示されたマーカー箇所を区切りマーカー箇所として検出し、
前記区切り位置検出部は、前記マーカー検出部が検出した区切りマーカー箇所を含むページを区切り位置として検出する電子機器。
【請求項５】
前記区切り位置検出部は、前記複数ページの画像データに含まれる白紙ページを区切り位置として検出する、請求項１乃至請求項４の何れか１項に記載の電子機器。
【請求項６】
前記区切り位置検出部は、前記第１マーカー箇所が示されたページを区切り位置として検出する、請求項１乃至請求項４の何れか１項に記載の電子機器。
【請求項７】
ユーザーから指示を受け付ける受付部を更に備え、
前記区切り位置検出部は、前記受付部が予め受け付けた前記指示に基づき、区切り位置となるページを検出する、請求項１乃至請求項４の何れか１項に記載の電子機器。
【請求項８】
前記マーカー検出部は、前記第１マーカー箇所とは異なる態様で示された第２マーカー箇所を検出し、
前記処理部は、分割後の各画像データに示される前記第２マーカー箇所に示されたテキストを当該各画像データのファイル名として、当該各画像データを送信する処理を行う、請求項１乃至請求項４の何れか１項に記載の電子機器。
【発明の詳細な説明】
【技術分野】
【０００１】
本発明は、電子機器に関し、特に、原稿の画像データに示されるマーカー箇所を抽出する技術に関する。
【背景技術】
【０００２】
下記の特許文献１には、原稿を示す画像データにマーカー箇所が含まれるか否かを判定し、マーカー箇所が含まれる場合には当該マーカー箇所に示された画像を削除したり単一色の画像で置き換える技術が開示されている。この技術によれば、ユーザーは、原稿内の所望の領域をマーカーペンによりマーキングすることで、画像読取装置に読み取られる対象から除くことができる。
【先行技術文献】
【特許文献】
【０００３】
【特許文献１】特開２００５−１６７８７５号公報
【発明の概要】
【発明が解決しようとする課題】
【０００４】
ところで、原稿を示す画像データを電子メールで送信したり、ＨＤＤ（Hard Disk Drive）などの記憶部に保存する場合がある。この場合、ユーザーは、電子メールの宛先であるメールアドレスや記憶部の記憶先であるディレクトリ名などの送信先を入力する必要がある。
【０００５】
しかしながら、装置に設けられたタッチパネルやハードキーを用いて上記の画像データの送信先を入力するのは煩わしく、ユーザー利便性に欠ける。
【０００６】
また、画像データを所望の位置で分割した上で、上記のように電子メールで送信したり記憶部に保存する場合もある。この場合、ユーザーは画像データを分割する位置を指定して、分割後の複数の画像データのそれぞれについて上記の動作を行う必要がある。
【０００７】
しかしながら、画像データを分割する位置を指定したり、分割後の複数の画像データのそれぞれについて上記の動作を行う必要があるのは煩わしい。
【０００８】
本発明は、上記の事情に鑑みなされたものであり、原稿を示す画像データを送信する場合において、マーカーペンによるマーキングにより、画像データの分割位置や送信先を入力しなくとも画像データを分割して送信することを可能にすることを目的とする。
【課題を解決するための手段】
【０００９】
本発明の一局面にかかる電子機器は、複数枚の原稿を示す複数ページの画像データを取得する取得部と、前記複数ページの画像データおいて区切り位置となるページを検出する区切り位置検出部と、前記複数ページの画像データを前記区切り位置検出部が検出したページに基づき分割する分割部と、前記分割部により分割された分割後の各画像データに示される第１マーカー箇所を検出するマーカー検出部と、前記分割後の各画像データを、当該各画像データに示される前記第１マーカー箇所に示されたテキストを送信先として送信する処理を行う処理部と、を備える電子機器である。
【発明の効果】
【００１０】
本発明によれば、原稿を示す画像データを送信する場合において、マーカーペンによるマーキングにより、画像データの分割位置や送信先を入力しなくとも画像データを分割して送信することが可能となる。
【図面の簡単な説明】
【００１１】
【図１】本発明の一実施形態にかかる画像形成装置を示す斜視図である。
【図２】本発明の一実施形態にかかる画像形成装置の内部構成を示すブロック図である。
【図３】本発明の一実施形態にかかる画像形成装置の動作の流れを示すフローチャートである。
【図４】本発明の一実施形態にかかる画像形成装置の画像読取部が取得した画像データの一例を示す図である。
【図５】本発明の一実施形態にかかる画像形成装置の記憶部に記憶されるデータの一例を示す図である。
【図６】本発明の一実施形態にかかる画像形成装置の表示部に表示されるマーカー登録画面の一例を示す図である。
【図７】本発明の一実施形態にかかる画像形成装置が行う動作を模式的に示した図である。
【図８】本発明の一実施形態にかかる画像形成装置の表示部が表示するファイル送信画面の一例を示す図である。
【図９】本発明の一実施形態にかかる画像形成装置の表示部が表示する設定画面の一例を示す図である。
【図１０】本発明の一実施形態にかかる画像形成装置の表示部が表示する設定画面の一例を示す図である。
【発明を実施するための形態】
【００１２】
以下、本発明の一実施形態にかかる電子機器の一例である画像形成装置について図面を参照して説明する。
【００１３】
図１は、本発明の一実施形態にかかる画像形成装置を示す斜視図である。図２は、画像形成装置の内部構成を示すブロック図である。
【００１４】
画像形成装置１０は、例えば、コピー機能、プリンター機能、スキャナー機能、及びファクシミリ機能などの複数の機能を兼ね備えた複合機である。画像形成装置１０は、装置本体１１と、装置本体１１の上方に配置された画像読取部１１０と、画像読取部１１０と装置本体１１との間に設けられた連結部１２とから概略構成される。
【００１５】
装置本体１１は、画像形成部１２０や給紙部１３などを備えて構成されている。
【００１６】
画像形成装置１０が画像読取動作を行う場合、後述する動作制御部１０２による制御のもと、画像読取部１１０（取得部）が原稿載置台１１１に載置された原稿束を順次読み取り、複数のページからなる画像データを生成（取得）する。当該画像データは、記憶部１６０に記憶される。なお、画像形成装置１０は、画像読取部１１０が原稿束を読み取って画像データを取得するのではなく、通信部１７０がＰＣ（Personal Computer）などの他の情報処理装置から画像データを受信することで原稿を示す画像データを取得してもよい。
【００１７】
画像形成装置１０が画像形成動作を行う場合は、記憶部１６０に記憶された画像データなどに基づいて、動作制御部１０２による制御のもと、画像形成部１２０が給紙部１３から給紙される記録紙にトナー像を形成する。その後、記録紙上に形成されたトナー像は、不図示の定着部により熱定着される。定着処理の完了した画像形成済みの記録紙は、排出トレイ１４に排出される。
【００１８】
画像形成装置１０の外郭を構成する筐体の前面には、表示部１３０および操作部１５０が配置されている。表示部１３０は、液晶ディスプレイ（ＬＣＤ：Liquid Crystal Display）や有機ＥＬ（ＯＬＥＤ：Organic Light-Emitting Diode）ディスプレイを含んで構成される。表示部１３０は動作制御部１０２による制御のもと、メニュー画面などを表示する。
【００１９】
表示部１３０の前面には、タッチパネル１４０が配置されている。タッチパネル１４０は、所謂抵抗膜方式や静電容量方式などのタッチパネルであって、タッチパネル１４０上におけるユーザーによる接触（タッチ）をその接触位置とともに検知する。
【００２０】
操作部１５０は、例えば、メニューを呼び出すメニューキー、メニューを構成するＧＵＩのフォーカスを移動させる矢印キー、メニューを構成するＧＵＩに対して確定操作を行う決定キーなどを備えるハードキーである。
【００２１】
記憶部１６０は、ＨＤＤなどの大容量の記憶装置である。
【００２２】
通信部１７０は、無線ＬＡＮボードなどの通信モジュールから構成されるネットワークインターフェイスである。
【００２３】
画像形成装置１０は、更に、制御ユニット１００を備えている。制御ユニット１００は、ＣＰＵ（Central Processing Unit）、ＲＡＭ(Random Access Memory）、及びＲＯＭ（Read Only Memory）などから構成される。制御ユニット１００は、上記のＲＯＭまたは記憶部１６０に記憶されたプログラムが上記のＣＰＵに実行されることにより、制御部１０１、動作制御部１０２、操作受付部１０３、通信制御部１０４、マーカー検出部１０５、区切り位置検出部１０６、分割部１０７、マーカー処理部１０８、およびマーカー登録部１０９として機能する。なお、制御ユニット１００の上記の各構成は、プログラムに基づく動作によらず、それぞれハード回路により構成されてもよい。
【００２４】
制御部１０１は、画像形成装置１０の全体的な動作制御を司る。
【００２５】
操作受付部１０３は、タッチパネル１４０から出力される検知信号に基づき、タッチパネル１４０に対するユーザー操作を受け付ける機能を有する。また、操作受付部１０３は、ハードキーなどの操作部１５０を用いたユーザー操作を受け付ける機能を有する。
【００２６】
通信制御部１０４は、通信部１７０による通信動作を制御する機能を有する。通信部１７０は、通信制御部１０４による制御のもと、ＰＣなどの他の情報処理装置へ画像データを送信する。
【００２７】
動作制御部１０２は、画像読取部１１０による画像読取動作や表示部１３０による表示動作などを制御する機能を有する。
【００２８】
マーカー検出部１０５は、画像読取部１１０が原稿を読み取って取得した画像データを解析して、原稿においてマーカーによりマーキングされたマーカー箇所を検出する機能を有する。また、マーカー検出部１０５は、検出したマーカー箇所に示されるテキストを抽出する機能を有する。
【００２９】
区切り位置検出部１０６は、画像読取部１１０が取得した複数ページの画像データおいて区切り位置となるページを検出する機能を有する。
【００３０】
分割部１０７は、画像読取部１１０が取得した複数ページの画像データを区切り位置検出部１０６が検出したページに基づき、複数の画像データに分割する機能を有する。
【００３１】
マーカー処理部１０８は、マーカー検出部１０５が抽出したテキストに示される情報を用いて、通信部１７０に電子メールで画像データを送信させたり、記憶部１６０に画像データを記憶させたりする機能を有する。
【００３２】
マーカー登録部１０９は、後述するマーカーの第１の色および第２の色の設定または変更を受け付ける機能を有する。
【００３３】
続いて、上記の構成を備える画像形成装置１０の画像読取動作について説明する。図３は、画像形成装置１０の画像読取動作の流れを示すフローチャートである。
【００３４】
操作受付部１０３が画像読取指示を受け付けると（ステップＳ１０においてＹＥＳ）、動作制御部１０２は、画像読取部１１０を制御して画像読取処理を実行する（ステップＳ１１）。当該ステップＳ１１の処理により、画像読取部１１０は、原稿を示す画像データを取得する。
【００３５】
図４は、画像読取部１１０が取得した画像データの一例を示す図である。本図に示す例は、原稿載置台１１１に１５枚の原稿が載置された場合を示し、画像読取部１１０は、１ページ目ａ１〜１５ページ目ａ１５の１５ページからなる画像データを取得している。
【００３６】
図３に戻って、マーカー検出部１０５は、ステップＳ１１の処理で画像読取部１１０が取得した画像データを解析して、画像データに含まれるマーカー箇所を検出するマーカー検出処理を行う（ステップＳ１２）。また、マーカー検出部１０５は、検出したマーカー箇所に示されるテキストを抽出する。
【００３７】
図４に示す例では、原稿載置台１１１に載置された１枚目の原稿にマーカーペンによる複数のマーキングが施されており、その結果、画像データの１ページ目ａ１には、複数のマーカー箇所（図中において点線で囲まれた箇所）が含まれている。点線ｍ１で囲んだ部分は、赤色によりマーキングされたマーカー箇所を示し、点線ｍ２で囲んだ部分は、オレンジ色によりマーキングされたマーカー箇所を示す。
【００３８】
図５は、記憶部１６０に記憶されるデータの一例を示す図である。本図に示すように、記憶部１６０には、電子メールのＴＯ宛先、ＣＣ宛先、ＢＣＣ宛先、件名、および画像データのファイル名のそれぞれについて、対応するマーカーの色が示されたマーカー色テーブルが予め記憶されている。
【００３９】
例えば、電子メールのＴＯ宛先に対応する色として赤色が予め設定されている。マーカー検出部１０５は、原稿内において予め定められた長さ以上の幅の赤色の直線を第１マーカー箇所として検出する。そして、マーカー検出部１０５は、第１マーカー箇所に示されたテキスト「hanako.suzuki@xxx.jp」を、電子メールのＴＯ宛先を示すテキストとして抽出する。
【００４０】
また、画像データのファイル名に対応する色としてオレンジ色が予め設定されている。マーカー検出部１０５は、原稿内において予め定められた長さ以上の幅のオレンジ色の直線を第２マーカー箇所として検出する。そして、マーカー検出部１０５は、第２マーカー箇所に示されたテキスト「会議資料」を、画像データのファイル名を示すテキストとして抽出する。
【００４１】
また、電子メールのＣＣ（Carbon Copy）宛先に対応する色として青色が予め設定されている。マーカー検出部１０５は、原稿内において予め定められた長さ以上の幅の青色の直線を第３マーカー箇所として検出する。図４に示す例では、画像データａ１内に青色でマーキングされたマーカー箇所がないため、マーカー検出部１０５は、第３マーカー箇所を検出せず、電子メールのＣＣ宛先を示すテキストを抽出しない。
【００４２】
また、電子メールのＢＣＣ（Blind Carbon Copy）宛先に対応する色として緑色が予め設定されている。マーカー検出部１０５は、原稿内において予め定められた長さ以上の幅の緑色の直線を第４マーカー箇所として検出する。図４に示す例では、画像データａ１内に緑色によりマーキングされたマーカー箇所がないため、マーカー検出部１０５は、第４マーカー箇所を検出せず、電子メールのＢＣＣ宛先を示すテキストを抽出しない。
【００４３】
また、電子メールの件名に対応する色として黄色が予め設定されている。マーカー検出部１０５は、原稿内において予め定められた長さ以上の幅の黄色の直線を第５マーカー箇所として検出する。図４に示す例では、画像データａ１内に黄色によりマーキングされたマーカー箇所がないため、マーカー検出部１０５は、第５マーカー箇所を検出せず、電子メールの件名を示すテキストを抽出しない。
【００４４】
なお、表示部１３０は、動作制御部１０２による制御のもと、図６に示すマーカー登録画面Ｄ１を表示する。マーカー登録画面Ｄ１には、電子メールのＴＯ宛先、ＣＣ宛先、ＢＣＣ宛先、件名、および画像データのファイル名のそれぞれについて、プルダウンメニューｄ１〜ｄ５が設けられている。ユーザーは、当該プルダウンメニューｄ１〜ｄ５を操作することで、電子メールのＴＯ宛先、ＣＣ宛先、ＢＣＣ宛先、件名、および画像データのファイル名のそれぞれに対応する色を変更することができる。マーカー登録部１０９は、操作受付部１０３がプルダウンメニューｄ１〜ｄ５の操作を受け付けると、記憶部１６０に記憶されるマーカー色テーブルを書き換える。
【００４５】
また、マーカー登録画面Ｄ１には、電子メールのＴＯ宛先、ＣＣ宛先、ＢＣＣ宛先、件名、および画像データのファイル名のそれぞれについて、読み込み登録ボタンｄ６〜ｄ１０が設けられている。マーカー登録部１０９は、操作受付部１０３が読み込み登録ボタンｄ６〜ｄ１０の押下操作を受け付けると、画像読取部１１０に原稿載置台１１１に載置された原稿を読み取らせる。そしてマーカー登録部１０９は、画像読取部１１０が取得した画像データに含まれるマーカーの色の色情報（ＲＧＢ情報）を記憶部１６０に記憶させ、マーカー色テーブルを書き換える。これにより、ユーザーが所有するマーカーの色がマーカー登録画面Ｄ１に設けられたプルダウンメニューの中にない場合であっても、そのマーカーの色を登録することが可能となる。
【００４６】
図３に戻って、マーカー箇所が検出されなかった場合（ステップＳ１３においてＮＯ）、表示部１３０は、動作制御部１０２による制御のもと、原稿の読み取り結果を示す表示画面を表示する（ステップＳ１４）。当該表示画面には、原稿の読み取りにより画像読取部１１０が取得した画像データが示される。
【００４７】
ステップＳ１４の処理後、動作制御部１０２は、記憶部１６０に画像データを記憶させ（ステップＳ１５）、原稿読み取り処理を終える。
【００４８】
一方、マーカー箇所が検出された場合（ステップＳ１３においてＹＥＳ）、区切り位置検出部１０６は、複数ページからなる画像データおいて区切り位置となるページを検出する（ステップＳ１７およびステップＳ１８）。
【００４９】
具体的には、区切り位置検出部１０６は、ステップＳ１１の処理で取得した複数ページからなる画像データの中に、白紙ページが含まれるか否かを判定する（ステップＳ１６）。白紙ページが含まれる場合（ステップＳ１６においてＹＥＳ）、区切り位置検出部１０６は、当該白紙ページを区切り位置として特定する（ステップＳ１７）。
【００５０】
分割部１０７は、ステップＳ１７の処理で検出した検出した区切り位置に基づき、ステップＳ１１の処理で取得した複数ページからなる画像データを複数の画像データに分割する（ステップＳ１８）。
【００５１】
ステップＳ１８の処理後、マーカー処理部１０８は、分割した各画像データについて、その各画像データに示される第１マーカー箇所に示されたテキストを送信先として特定する（ステップＳ１９）。
【００５２】
また、マーカー処理部１０８は、分割した各画像データについて、その各画像データに示される第２マーカー箇所に示された各テキストを画像データのファイル名として特定する（ステップＳ２０）。
【００５３】
上記のステップＳ１６〜ステップＳ２０の処理を、図７を用いて具体的に説明する。図７に示す例では、１５ページの画像データのうち、４ページ目ａ４および１０ページ目ａ１０の画像が白紙画像となっている。この場合、区切り位置検出部１０６は、ステップＳ１７の処理で、４ページ目ａ４および１０ページ目ａ１０の白紙画像のページを区切り位置として特定する。そして、分割部１０７は、ステップＳ１８の処理で、１５ページの画像データを、１ページ目ａ１から３ページ目ａ３の画像からなる第１の画像データ、５ページ目ａ５から９ページ目ａ９の画像からなる第２の画像データ、および１１ページ目ａ１１から１５ページ目ａ１５の画像からなる第３の画像データの３つの画像データに分割する。この際、分割部１０７は、白紙画像のページを分割後の画像データから除外している。
【００５４】
そして、マーカー処理部１０８は、ステップＳ１９およびステップＳ２０の処理で、第１の画像データの１ページ目ａ１の画像における第１マーカー箇所ｍ１に示されたテキスト「hanako.suzuki@xxx.jp」を送信先として特定し、第２マーカー箇所ｍ２に示されたテキスト「会議資料」をファイル名として特定する。また、マーカー処理部１０８は、第２の画像データおよび第３の画像データについても上記と同様に送信先およびファイル名を特定する。
【００５５】
図３に戻って、複数ページからなる画像データの中に、白紙ページが含まれない場合（ステップＳ１６においてＮＯ）、分割部１０７による画像データの分割処理が行われずに、マーカー処理部１０８は、ステップＳ１１の処理で画像読取部１１０が取得した画像データについて、その画像データに示される第１マーカー箇所に示されたテキストを送信先として特定し（ステップＳ２１）、その画像データに示される第２マーカー箇所に示されたテキストを画像データのファイル名として特定する（ステップＳ２２）。
【００５６】
ステップＳ２０またはステップＳ２２の処理後、ファイル送信画面を生成する処理（ステップＳ２３）に移る。ステップＳ２３の処理では、表示部１３０は、ファイル送信画面を表示する。
【００５７】
図８は、表示部１３０が表示するファイル送信画面Ｄ４の一例を示す図である。ファイル送信画面Ｄ４は、電子メールの送信画面であって、ＴＯ宛先の入力指示を受け付けるためのＴＯ宛先入力欄ｄ１３、ＣＣ宛先の入力指示を受け付けるためのＣＣ宛先入力欄ｄ１４、ＢＣＣ宛先の入力指示を受け付けるためのＢＣＣ宛先入力欄ｄ１５、件名の入力指示を受け付けるための件名入力欄ｄ１６、添付ファイルである画像データのファイル名を受け付けるファイル名入力欄ｄ１７、およびメール本文の入力指示を受け付けるためのメール本文入力欄ｄ１８が設けられている。
【００５８】
ＴＯ宛先入力欄ｄ１３、およびファイル名入力欄ｄ１７には、ステップＳ１９およびステップＳ２０の処理によりマーカー検出部１０５が検出した各テキストが予め入力される。これにより、ユーザーが操作部１５０などを用いて画像データの送信先やファイル名を入力しなくとも、マーカーペンによるマーキングにより画像データの送信先やファイル名を指定することが可能となる。
【００５９】
図３に戻って、操作受付部１０３が送信指示を受け付けた場合（ステップＳ２４においてＹＥＳ）、マーカー処理部１０８は、通信部１７０に電子メールを送信させる（ステップＳ２５）。図８に示す例では、操作受付部１０３が送信ボタンｄ１９の選択を受け付けると、マーカー処理部１０８は、ファイル送信画面Ｄ４の上記の各入力欄に入力された情報に応じたメールデータを生成して、通信部１７０に当該メールデータを送信させる。
【００６０】
以上のように、本発明の一実施形態にかかる電子機器によれば、原稿を示す画像データを送信する場合において、マーカーペンによるマーキングにより、画像データの分割位置や送信先を入力しなくとも画像データを分割して送信することが可能となる。
【００６１】
なお、本発明は、上記の実施の形態の構成に限られず種々の変形が可能である。
【００６２】
＜変形例１＞
上記の実施形態では、マーカーが検出されたページを含んだ画像データを送信する場合を説明したが、本発明は必ずしもこの場合に限られない。変形例１にかかる電子機器では、予め定められた設定に応じて、マーカーが検出されたページを除いた画像データを送信する。
【００６３】
図９は、表示部１３０に表示される設定画面の一例を示す図である。操作受付部１０３は、設定画面Ｄ５に設けられたボタンｄ２０またはｄ２１の選択に応じた送信設定を、記憶部１６０内に記憶させる。
【００６４】
記憶部１６０内に記憶されたデータの送信設定が「マーカーが検出されたページを除いて送信する設定」である場合、マーカー処理部１０８は、マーカーが検出されたページを除いた画像データを送信する。図７に示す例では、１ページ目ａ１、５ページ目ａ５、および１１ページ目ａ１１が送信対象から除かれる。この結果、マーカー処理部１０８は、２ページ目ａ２から３ページ目ａ３の画像からなる第１の画像データ、６ページ目ａ６から９ページ目ａ９の画像からなる第２の画像データ、および１２ページ目ａ１２から１５ページ目ａ１５の画像からなる第３の画像データの３つの画像データを送信する。
【００６５】
＜変形例２＞
上記の実施形態では、原稿の読み取りにより取得した画像データを送信する手段が電子メールである場合を説明した。しかしながら、本発明は必ずしもこの場合に限定されない。原稿の読み取りにより取得した画像データを記憶部１６０内の保存先に送信してもよい。
【００６６】
この場合、マーカー処理部１０８は、マーカー検出部１０５により抽出されたテキストが電子メールの宛先であるか、または記憶部１６０内の領域名（ディレクトリ名）であるかを判定する。具体的には、マーカー処理部１０８は、メール宛先に対応付けられた色でマーキングされたマーカー箇所に示されるテキストを解析する。当該テキストに例えばアットマーク（＠）などの電子メールの宛先に含まれると考えられる文字が示されている場合、マーカー処理部１０７は、マーカー検出部１０５により抽出されたテキストが電子メールの宛先であると判定する。一方、当該テキストに例えばスラッシュマーク（／）などのディレクトリ名に含まれると考えられる文字が示される場合、マーカー処理部１０８は、マーカー検出部１０５により抽出されたテキストがディレクトリ名であると判定する。
【００６７】
そして、マーカー処理部１０８は、マーカー検出部１０５により抽出されたテキストが電子メールの宛先である場合、当該テキストを電子メールの宛先とした電子メールを送信する処理を画像データを送信する処理として行う。
【００６８】
一方、マーカー処理部１０８は、マーカー検出部１０５により抽出されたテキストがディレクトリ名である場合、当該ディレクトリ名の領域に画像データを記憶させる処理を画像データを送信する処理として行う。
【００６９】
なお、上記の処理において、マーカー検出部１０５により抽出されたテキストが電子メールの宛先および記憶部１６０内の領域名のいずれでもないとマーカー処理部１０８が判定した場合、区切り位置検出部１０６は、当該テキストが示されたページを区切り位置として検出してもよい。これにより、ユーザーは、マーカーペンによるマーキングにより区切り位置を指定することが可能となる。
【００７０】
このように変形例２にかかる画像読取装置によれば、読み取りにより得られた画像データを記憶部１６０内の所望の領域に記憶させる処理を、ディレクトリ名を入力せずに実行することが可能になる。
【００７１】
＜変形例３＞
上記の実施形態では、画像データに含まれる白紙画像のページを区切り位置として特定する場合を説明したが、本発明は必ずしもこの場合に限定されない。変形例３にかかる電子機器では、区切り位置検出部１０６が、ユーザーが入力した指示に基づいて、区切り位置となるページを検出する。
【００７２】
図１０は、表示部１３０に表示される区切り位置の設定画面の一例を示す図である。操作受付部１０３は、設定画面Ｄ６に設けられたボタンｄ３０〜ｄ３３の選択に応じて、第１の画像データの範囲および第２の画像データの範囲を、記憶部１６０内に記憶させる。また、ユーザーが設定画面Ｄ６に設けられたボタンｄ３４を選択することにより、分割する画像データの数を増やすことが可能になっている。
【００７３】
区切り位置検出部１０６は、記憶部１６０に上記の設定が記憶されている場合は、当該設定に基づき区切り位置となるページを検出し、記憶部１６０に上記の設定が記憶されてない場合は、画像データに含まれる白紙画像のページを区切り位置として検出する。
【００７４】
なお、区切り位置検出部１０６は、画像データに含まれる第１マーカー箇所が示されたページを区切り位置として検出してもよい。
【００７５】
＜変形例４＞
上記の実施形態では、マーカー検出部１０５がマーカーの色に基づき、画像データ内に異なる態様で示されたマーカー箇所がいずれのマーカー箇所（例えば、第１マーカー箇所または第２マーカー箇所）であるかを判定する場合を説明したが、本発明は必ずしもこの場合に限定されない。マーカー検出部１０５は、マーカーの色、マーカーの線種、およびマーカーの太さの少なくとも１つの要素に基づいて、画像データ内に示されたマーカー箇所がいずれのマーカー箇所であるかを判定してもよい。
【００７６】
この場合、記憶部１６０には、電子メールのＴＯ宛先、ＣＣ宛先、ＢＣＣ宛先、件名、および画像データのファイル名のそれぞれについて、対応するマーカーの線種（例えば、実線や点線など）やマーカーの太さが示されたテーブルが予め記憶されている。マーカー検出部１０５は、記憶部１６０に記憶されている当該テーブルを参照して、上記の判定処理を行う。
【００７７】
＜変形例５＞
変形例５にかかる画像読取装置１０では、マーカー検出部１０５は、予め定められた態様（例えば予め定められた色）で示されたマーカー箇所を区切りマーカー箇所として検出する。そして、区切り位置検出部１０６は、マーカー検出部１０５が検出した区切りマーカー箇所を含むページを区切り位置として検出する。これにより、ユーザーは、マーカーペンによるマーキングにより区切り位置を指定することが可能となる。
【符号の説明】
【００７８】
１０    画像形成装置
１００  制御ユニット
１０１  制御部
１０２  動作制御部
１０３  操作受付部
１０４  通信制御部
１０５  マーカー検出部
１０６  位置検出部
１０７  分割部
１０８  マーカー処理部
１０９  マーカー登録部
１１０  画像読取部
１２０  画像形成部
１３０  表示部
１４０  タッチパネル
１５０  操作部
１６０  記憶部
１７０  通信部
【図１】
0006447539.tif 000002
【図２】
0006447539.tif 000003
【図３】
0006447539.tif 000004
【図４】
0006447539.tif 000005
【図５】
0006447539.tif 000006
【図６】
0006447539.tif 000007
【図７】
0006447539.tif 000008
【図８】
0006447539.tif 000009
【図９】
0006447539.tif 000010
【図１０】
0006447539.tif 000011